(57)【要約】【課題】使用途中のチューブ型製品を未使用のものと区別して保管するのに用いられるチューブ保管用器具において、構造の簡素化およびコストの低減を図る。【解決手段】本考案は、天井面１５１を有する保管場所１５０にチューブ型製品１００を保管するために用いられるチューブ保管用器具１であって、前記天井面１５１に固定される固定部材１０と、前記チューブ型製品１００を保持する複数の保持具２０と、前記固定部材１０にスライド可能に取り付けられ、前記複数の保持具２０を吊り下げる棒状のハンガー部材３０とを備えていることを特徴とする。【選択図】図３
0003233455.tif 000002
【実用新案登録請求の範囲】
【請求項１】
天井面を有する保管場所にチューブ型製品を保管するために用いられるチューブ保管用器具であって、
前記天井面に固定される固定部材と、
前記チューブ型製品を保持する複数の保持具と、
前記固定部材にスライド可能に取り付けられ、前記複数の保持具を吊り下げる棒状のハンガー部材とを備えていることを特徴とするチューブ保管用器具。
【請求項２】
前記ハンガー部材は、
所定方向の一方側から他方側に向けて延び、前記固定部材にスライド可能に支持されるスライダ部と、
前記スライダ部の前記他方側の端部に連なる折り返し部と、
前記折り返し部における前記スライダ部とは反対側の端部から前記所定方向の前記一方側に向けて延び、前記複数の保持具を吊り下げ支持するハンガー部とを備えていることを特徴とする請求項１に記載のチューブ保管用器具。
【請求項３】
前記固定部材は、
前記天井面に固定されるプレート部と、
前記プレート部に沿って延び、前記スライダ部がスライド可能に通される筒状支持部とを備えていることを特徴とする請求項２に記載のチューブ保管用器具。
【請求項４】
前記スライダ部の前記一方側の端部に、前記固定部材からの前記スライダ部の脱落を規制するストッパが着脱可能に設けられていることを特徴とする請求項２または請求項３に記載のチューブ保管用器具。
【請求項５】
前記ハンガー部の前記一方側の端部に、前記ハンガー部からの前記保持具の脱落を規制する屈曲片が設けられていることを特徴とする請求項２から請求項４のいずれか１項に記載のチューブ保管用器具。
【請求項６】
前記ハンガー部の長さ方向における前記保持具の位置ずれを規制する位置ずれ規制手段を備えていることを特徴とする請求項２から請求項５のいずれか１項に記載のチューブ保管用器具。
【請求項７】
前記位置ずれ規制手段は、
前記保持具の所定部が嵌合可能なように前記ハンガー部に設けられた嵌合部を備えていることを特徴とする請求項６に記載のチューブ保管用器具。
【請求項８】
前記位置ずれ規制手段は、
前記ハンガー部の長さ方向の両側から前記保持具の所定部を挟み込むように前記ハンガー部に装着される複数の位置決め部材を備えていることを特徴とする請求項６に記載のチューブ保管用器具。
【請求項９】
前記位置ずれ規制手段は、
前記ハンガー部に装着される位置決め部材を備え、
前記位置決め部材は、前記保持具を所定位置に保持するように前記保持具を吊り下げ支持する支持部を備えていることを特徴とする請求項６に記載のチューブ保管用器具。
【請求項１０】
前記位置ずれ規制手段は、
前記ハンガー部材に装着される位置決め部材を備え、
前記位置決め部材は、
前記スライダ部の外側に嵌合する筒状嵌合部と、
前記筒状嵌合部に支持され、前記ハンガー部の長さ方向に間隔を空けて配置された状態で前記ハンガー部の外周面に当接または近接する複数の位置決め片とを備えていることを特徴とする請求項６に記載のチューブ保管用器具。
【請求項１１】
前記固定部材は、
前記スライダ部に嵌合された状態の前記筒状嵌合部がスライド可能に通される筒状支持部を備えていることを特徴とする請求項１０に記載のチューブ保管用器具。
【請求項１２】
前記ハンガー部の前記一方側の端部に屈曲片が設けられ、
前記位置決め部材は、
前記複数の位置決め片を前記筒状嵌合部に繋ぐ連絡部を備え、
前記連絡部に、前記屈曲片に係合可能な係合凹部が設けられていることを特徴とする請求項１０または請求項１１に記載のチューブ保管用器具。
【請求項１３】
前記保持具は、
前記チューブ型製品を着脱可能に挟持するクリップ部と、
前記クリップ部を前記ハンガー部材に連結させる連結部とを備えていることを特徴とする請求項１から請求項１２のいずれか１項に記載のチューブ保管用器具。
【請求項１４】
前記連結部は、
自然状態において前記ハンガー部材の通過を規制し、且つ、弾性変形によって前記ハンガー部材の通過を許容するように拡開可能な着脱用の開放部を有することを特徴とする請求項１３に記載のチューブ保管用器具。
【考案の詳細な説明】
【技術分野】
【０００１】
本考案は、チューブ型ヘアカラーリング剤等のチューブ型製品の保管に用いられるチューブ保管用器具に関する。
【背景技術】
【０００２】
理美容室では、複数回分の液剤が入ったチューブ型ヘアカラーリング剤が広く用いられている。理美容室において、ヘアカラーリング剤は、多くの種類の中から所望のものがすぐに見つけられるように保管されることが求められる。そのため、通常、ヘアカラーリング剤の保管場所は種類ごとに決められる。
【０００３】
各種類の保管場所には、未使用のヘアカラーリング剤だけでなく、１回以上使用された使用途中のものも収納される。そうすると、次回の使用時に、使用途中のヘアカラーリング剤が残っているにも拘わらず、誤って未使用のヘアカラーリング剤を取り出して使用してしまうことがある。この場合、使用途中のヘアカラーリング剤を重複して保管せざるを得なくなり、在庫管理に支障を来す課題がある。
【０００４】
この課題を解決するために、本願考案者は、特許文献１に開示されたチューブ保管用器具を提案している。このチューブ保管用器具は、保管場所の天井面に固定されるレールと、レールに沿ってスライドするスライダと、スライダに一体に設けられたプレートと、プレートに吊り下げられた複数のクリップとを備えている。各クリップによってヘアカラーリング剤のチューブの一端部を挟持することで、ヘアカラーリング剤を吊り下げた状態で保管することができる。
【０００５】
このチューブ保管用器具を専ら使用途中のヘアカラーリング剤の保管に用いつつ、未使用のヘアカラーリング剤を従来通りの態様で棚等に保管しておくことにより、使用途中のヘアカラーリング剤を優先的に使用することを促すことができる。これにより、ヘアカラーリング剤の在庫を管理しやすくなる。
【０００６】
また、当該チューブ保管用器具をヘアカラーリング剤以外のチューブ型製品の保管に用いれば、当該チューブ型製品の在庫管理の改善にも役立てることが可能である。
【先行技術文献】
【特許文献】
【０００７】
【特許文献１】実用新案登録第３２３１３７３号公報
【考案の概要】
【考案が解決しようとする課題】
【０００８】
しかしながら、特許文献１のチューブ保管用器具には、構造の簡素化、及び製造コストの低減を図る上で改善の余地がある。
【０００９】
そこで、本考案は、簡素な構造で低コストのチューブ保管用器具を提供することを課題とする。
【課題を解決するための手段】
【００１０】
本考案の一態様は、
天井面を有する保管場所にチューブ型製品を保管するために用いられるチューブ保管用器具であって、
前記天井面に固定される固定部材と、
前記チューブ型製品を保持する複数の保持具と、
前記固定部材にスライド可能に取り付けられ、前記複数の保持具を吊り下げる棒状のハンガー部材とを備えていることを特徴とする。
【考案の効果】
【００１１】
本考案によれば、チューブ型製品の在庫管理の改善に役立てるチューブ保管用器具を、簡素な構造かつ低コストで提供することができる。
【図面の簡単な説明】
【００１２】
【図１】図１は本考案の第１実施形態に係るチューブ保管用器具を示す斜視図である。
【図２】図２は同チューブ保管用器具の構成部品を示す図である。
【図３】図３は同チューブ保管用器具の使用例を示す図である。
【図４】図４は同使用例においてハンガー部材を引き出した状態を示す図である。
【図５】図５は保持具の変形例を示す図である。
【図６】図６は位置ずれ規制手段の一例を示す図である。
【図７】図７は位置ずれ規制手段の別の例を示す図である。
【図８】図８は位置ずれ規制手段の更に別の例を示す図である。
【図９】図９は本考案の第２実施形態に係るチューブ保管用器具を示す正面図である。
【図１０】図１０は同チューブ保管用器具を示す側面図である。
【考案を実施するための形態】
【００１３】
以下、添付図面を参照して、本考案に係るチューブ保管用器具を実施形態毎に説明する。なお、以下の説明で用いる特定の方向を示す用語（例えば、「上」、「下」、「左」、「右」を含む用語）は、添付図面に示されるチューブ保管用器具の姿勢における方向を示す。それらの用語の使用は図面を参照した考案の理解を容易にするためであって、それらの用語の意味によって本考案の技術的範囲が限定されるものではない。また、以下の説明は、本質的に例示に過ぎず、本考案、その適用物、あるいは、その用途を制限することを意図するものではない。
【００１４】
［第１実施形態］
図１に示すように、第１実施形態に係るチューブ保管用器具１は、理美容室等で用いられるチューブ型のヘアカラーリング剤１００の保管に用いられる。図１に示す例において、ヘアカラーリング剤１００の一端側には、開口部（図示せず）と該開口部を開閉するキャップ１０２とが設けられており、開口部とは反対側の端部１００ａは扁平状の閉塞部とされている。ただし、チューブ保管用器具１は、図１に示される構成のヘアカラーリング剤１００に限られず、チューブ状のものであれば、任意のヘアカラーリング剤に適用可能である。
【００１５】
チューブ保管用器具１は、固定部材１０と、複数の保持具２０と、棒状のハンガー部材３０とを備えている。なお、図１に示す例において、保持具２０は１０個設けられているが、保持具２０の個数は特に限定されるものでない。
【００１６】
図２（ａ）に示すように、固定部材１０は、プレート部１２と筒状支持部１４とを備えている。固定部材１０は、例えば、ＡＢＳ樹脂等の樹脂からなる。ただし、本考案において、固定部材１０の素材は限定されるものでない。
【００１７】
プレート部１２は、ヘアカラーリング剤１００の保管場所の天井面１５１（図３及び図４参照）に固定される。プレート部１２は、例えば長方形状であるが、プレート部１２の形状は特に限定されるものでない。プレート部１２の上面は、天井面１５１に固定される被固定面１２ａとされている。プレート部１２には、複数のビス穴１３が設けられている。ビス穴１３は、プレート部１２を貫通して設けられている。プレート部１２は、ビス穴１３に下側から通されるビス５０（図３及び図４参照）によって天井面１５１に固定される。
【００１８】
筒状支持部１４は、プレート部１２と一体に設けられている。筒状支持部１４は、プレート部１２における被固定面１２ａとは反対側の面１２ｂから突出して設けられている。筒状支持部１４は、プレート部１２に沿って延びるように設けられている。より具体的に、筒状支持部１４は、プレート部１２の短手方向中央部において長手方向に延びるように設けられている。上記のビス穴１３は、プレート部１２の短手方向において筒状支持部１４の両側にそれぞれ設けられている。本実施形態において、筒状支持部１４の長さ方向は、被固定面１２ａに対して平行とされている。ただし、筒状支持部１４は、被固定面１２ａに対して上下に傾斜して設けられてもよい。
【００１９】
筒状支持部１４には、筒状支持部１４を長さ方向に貫通する貫通穴１５が設けられている。貫通穴１５には、ハンガー部材３０が通される。貫通穴１５の断面形状は、例えば円形であるが、ハンガー部材３０の断面形状に合わせて適宜変更可能である。
【００２０】
このように、固定部材１０は、プレート部１２と筒状支持部１４からなる簡素な構造を有する。したがって、固定部材１０を低コストで製造することができる。
【００２１】
図１に示すように、保持具２０は、ヘアカラーリング剤１００を保持可能に構成されている。より具体的に、保持具２０は、ヘアカラーリング剤１００のキャップ１０２とは反対側の端部１００ａを掴むことで、ヘアカラーリング剤１００を保持する。保持具２０の具体的構成は限定されるものでないが、保持具２０の一例が図２（ｂ）に示されている。
【００２２】
図２（ｂ）に示す保持具２０は、ヘアカラーリング剤１００を着脱可能に挟持するクリップ部としてのクリップ２２と、クリップ２２をハンガー部材３０に連結させる連結部としてのリング部材２４とを備えている。クリップ２２は、その下端部がヘアカラーリング剤１００を挟持する挟持部とされている。リング部材２４は、クリップ２２の上端部（挟持部とは反対側の端部）に取り付けられている。
【００２３】
クリップ２２及びリング部材２４は、例えば金属からなるが、これに限定されるものでない。クリップ２２及びリング部材２４としては、汎用品を用いることができ、これにより、保持具２０を低コストで用意することができる。
【００２４】
図１に示すように、ハンガー部材３０は、１本の棒状部材で構成されている。ハンガー部材３０は、例えばスチール等の金属からなる。ただし、ハンガー部材３０の素材は特に限定されるものでない。
【００２５】
ハンガー部材３０は、固定部材１０に取り付けられる。また、ハンガー部材３０には、複数の保持具２０が吊り下げられる。ハンガー部材３０の断面形状は、例えば円形であるが、その他の断面形状であってもよい。ハンガー部材３０は、全長に亘って均一の直径を有する。ただし、必要に応じて、ハンガー部材３０に拡径部又は縮径部が設けられてもよい。
【００２６】
図２（ｃ）に示すように、ハンガー部材３０は、長尺のスライダ部３２、折り返し部３４、及び長尺のハンガー部３６を備えている。スライダ部３２、折り返し部３４、及びハンガー部材３０は、この順で連なっている。これにより、ハンガー部３６は、全体として、細長いＵ字状に形成されている。
【００２７】
スライダ部３２は、所定方向の一方側（図の左側）から他方側（図の右側）に延びる長尺部である。スライダ部３２は、全長に亘って直線状に延びている。ただし、スライダ部３２は、湾曲部または屈曲部を備えてもよい。スライダ部３２の一方側の端部３２ａは、ハンガー部材３０の先端部で構成されており、スライダ部３２の他方側の端部３２ｂには折り返し部３４が連なっている。
【００２８】
スライダ部３２は、固定部材１０の筒状支持部１４の貫通穴１５（図２（ａ）参照）にスライド可能に通される。これにより、スライダ部３２は、固定部材１０にスライド可能に支持される。スライダ部３２は、固定部材１０に支持された状態において、固定部材１０の被固定面１２ａに対して平行に延びるように配置される。
【００２９】
折り返し部３４は、スライダ部３２の他方側の端部３２ｂに対して屈曲部または湾曲部を介して連なっている。折り返し部３４は、スライダ部３２の長さ方向に直交する方向に延びている。折り返し部３４におけるスライダ部３２とは反対側の端部は、屈曲部または湾曲部を介してハンガー部３６に連なっている。折り返し部３４は、例えば、スライダ部３２への接続部（屈曲部または湾曲部）とハンガー部３６への接続部（屈曲部または湾曲部）との間で直線状に延びるように設けられているが、全長に亘って湾曲するように設けられてもよい。
【００３０】
ハンガー部３６は、折り返し部３４におけるスライダ部３２とは反対側の端部からスライダ部３２の長さ方向に沿って前記一方側（図の左側）に向けて延びる長尺部である。ハンガー部３６は、直線状に延びるように設けられている。ただし、ハンガー部３６は、湾曲部または屈曲部を備えてもよい。ハンガー部３６は、スライダ部３２の長さ方向に対して平行に延びている。ただし、ハンガー部３６は、スライダ部３２の長さ方向に対して上下または左右に傾斜して設けられてもよい。
【００３１】
ハンガー部材３０は、使用状態においてスライダ部３２の下側に配置される（図１参照）。ハンガー部３６には、複数の保持具２０が吊り下げ支持される。具体的に、各保持具２０は、そのリング部材２４がハンガー部３６に通されて係合されることで、ハンガー部３６から吊り下げられる（図１参照）。
【００３２】
ハンガー部３６における折り返し部３４側の端部３６ａとは反対側の端部３６ｂには、ハンガー部３６からの保持具２０の脱落を規制する屈曲片３８が設けられている。屈曲片３８は、ハンガー部３６の端部３６ｂから上側（スライダ部３２側）に向けて屈曲されている。屈曲片３８は、ハンガー部３６の長さ方向に直交する方向に沿って延びている。ハンガー部３６に掛けられた保持具２０は、ハンガー部３６の長さ方向に沿った移動が折り返し部３４と屈曲片３８との間に制限され、これにより、保持具２０の脱落が防止される。
【００３３】
図１に示すように、スライダ部３２の前記一方側（図の左側）の端部３２ａ（図２（ｃ）参照）には、固定部材１０からのスライダ部３２の脱落を規制するストッパ４０が着脱可能に設けられている。
【００３４】
図２（ｄ）に示すように、ストッパ４０は、例えば円柱状の部材であり、スライダ部３２よりも大径とされている。ただし、ストッパ４０の形状は特に限定されるものでない。ストッパ４０は、例えば樹脂またはゴムからなるが、ストッパ４０の素材は特に限定されるものでない。
【００３５】
ストッパ４０には、スライダ部３２の端部３２ａが嵌め込まれる嵌合穴４２が設けられている。嵌合穴４２は、ストッパ４０の一方の端面に開口した有底穴である。ただし、嵌合穴４２は、ストッパ４０を軸方向に貫通する貫通穴であってもよい。嵌合穴４２の内径は、スライダ部３２の外径に略等しい。
【００３６】
嵌合穴４２にスライダ部３２の端部３２ａが差し込まれた状態では、スライダ部３２の外周面と嵌合穴４２の内周面との摩擦により、スライダ部３２からストッパ４０が容易に外れないようになっている。図１に示すようにスライダ部３２が固定部材１０とストッパ４０に取り付けられた状態において、スライダ部３２は、ストッパ４０と固定部材１０との干渉により、固定部材１０からの脱落が規制される。
【００３７】
チューブ保管用器具１は、次の手順で組み立てられる。まず、複数の保持具２０のリング部材２４が、ハンガー部材３０に通されて、ハンガー部材３０のハンガー部３６に集められる。続いて、ハンガー部材３０のスライダ部３２が、その端部３２ａ側から、固定部材１０の筒状支持部１４に差し通される。その後、筒状支持部１４を貫通したスライダ部３２の端部３２ａにストッパ４０が装着されることで、チューブ保管用器具１の組み立てが完了する。
【００３８】
図３に示すように、チューブ保管用器具１は、天井面１５１を有する保管場所にヘアカラーリング剤１００を保管するために用いられる。図３には、理美容室内に設置された棚１５０にヘアカラーリング剤１００が保管される例が示されている。図３に示す例では、すでに１回以上使用された使用途中のヘアカラーリング剤１００が、チューブ保管用器具１に吊り下げられた状態で、棚１５０に保管されている。
【００３９】
チューブ保管用器具１は、複数のビス５０によって固定部材１０のプレート部１２が天井面１５１に固定されることで、棚１５０に取り付けられる。固定部材１０は、棚１５０の前面（図３における右側の端部）近くに取り付けられることが好ましい。
【００４０】
図３に示す保管状態において、ハンガー部材３０は、スライダ部３２が天井面１５１に沿って配置され、折り返し部３４が棚１５０の前面に沿って配置され、ハンガー部３６がスライダ部３２の下方に配置されている。スライダ部３２は、その折り返し部３４側の端部において固定部材１０の筒状支持部１４に支持されている。ハンガー部３６は、複数の保持具２０を介して複数のヘアカラーリング剤１００を吊り下げ支持している。これにより、ヘアカラーリング剤１００は、ハンガー部材３０とともに棚１５０の中に収納されている。
【００４１】
図４に示すように、ハンガー部材３０は、固定部材１０に支持された状態を維持しながら、棚１５０の前面側から引き出すことができる。このとき、ハンガー部材３０は、ストッパ４０と固定部材１０との干渉により固定部材１０からの脱落が防止される。また、ハンガー部３６に掛けられた保持具２０は、屈曲片３８との干渉によりハンガー部３６からの脱落が防止される。
【００４２】
図４に示すようにハンガー部材３０を棚１５０から引き出すことで、チューブ保管用器具１に吊り下げられたヘアカラーリング剤１００を視認しやすくなる。これにより、所望の種類のヘアカラーリング剤１００を見つけやすくなるとともに、このヘアカラーリング剤１００を取り外しやすくなる。本実施形態では、保持具２０のクリップ２２を摘まむことで、ヘアカラーリング剤１００を容易に取り外すことができる。
【００４３】
ヘアカラーリング剤１００の使用後も、図４に示すようにハンガー部材３０を棚１５０から引き出すことで、ハンガー部材３０とともに引き出されたクリップ２２に、当該ヘアカラーリング剤１００を容易に取付けることができる。
【００４４】
本実施形態に係るチューブ保管用器具１を用いて、使用途中のヘアカラーリング剤１００を保管することで、保管の場所および態様を未使用のヘアカラーリング剤と明確に区別することができる。これにより、使用途中のヘアカラーリング剤１００が残っているにも拘わらず誤って未使用のヘアカラーリング剤を取り出して使用してしまうことを防止することができる。
【００４５】
本実施形態に係るチューブ保管用器具１は、簡素な構造を有する固定部材１０、ハンガー部材３０、及びストッパ４０と、汎用品からなる保持具２０とで構成されている。また、これらの構成部品１０，２０，３０，４０を用いて、簡単にチューブ保管用器具１を組み立てることができる。そのため、チューブ保管用器具１の製造コストの低減を図ることができる。
【００４６】
また、本実施形態に係るチューブ保管用器具１は、ビス５０によって天井面１５１に簡単に取り付けることができる。そのため、様々なタイプの棚、又は棚以外の様々な保管場所にチューブ保管用器具１を利用することができる。
【００４７】
さらに、本実施形態に係るチューブ保管用器具１では、短尺の固定部材１０によって確実にハンガー部材３０を支持することができる。そのため、固定部材１０の小型化を図ることができる。これにより、天井面１５１における固定部材１０の取付けスペースが小さくて済む。
【００４８】
以上、第１実施形態に係るチューブ保管用器具１を説明したが、第１実施形態においては、チューブ保管用器具１の構成には種々の変更および追加が可能である。
【００４９】
例えば、上記においては、保持具２０がクリップ２２とリング部材２４からなる例を説明したが、保持具の構成はこれに限られない。
【００５０】
［保持具の変形例］
図５に、変形例に係る保持具６０が示されている。図５に示す保持具６０は、例えば樹脂からなる。ただし、保持具６０の素材は特に限定されるものでない。保持具６０は、ヘアカラーリング剤１００を保持するクリップ部６２と、クリップ部６２をハンガー部材３０に連結させる連結部６４とを備えている。
【００５１】
クリップ部６２は、任意の構造によりヘアカラーリング剤１００を保持可能とされている。連結部６４は、クリップ部６２と一体に設けられている。連結部６４は、クリップ部６２から上方に延びて、ハンガー部材３０のハンガー部３６に係合可能な一対の係合片６５，６６を備えている。
【００５２】
図５（ａ）に示す自然状態において、一対の係合片６５，６６は、先端部に向かうほど互いに接近するように構成されている。一対の係合片６５，６６の先端部間には、ハンガー部材３０に対して保持具６０を着脱させるための開放部６８が形成されている。自然状態における着脱用の開放部６８は、ハンガー部材３０の直径よりも狭い幅を有し、ハンガー部材３０の通過を規制する。
【００５３】
図５（ｂ）に示すように、一対の係合片６５，６６は、着脱用の開放部６８を拡開させるように弾性変形可能とされている。この弾性変形によって、着脱用の開放部６８は、ハンガー部材３０の通過を許容するように拡開可能となっている。
【００５４】
このように、保持具６０は、着脱用の開放部６８を有することにより、ハンガー部材３０に対して着脱可能となっている。このような着脱式の保持具６０が用いられる場合、ヘアカラーリング剤１００から保持具６０を取り外さなくても、ヘアカラーリング剤１００と保持具６０を、まとめてハンガー部材３０から取り外すことができる。この場合、ヘアカラーリング剤１００は、保持具６０が取り付けられたままの状態で使用され、使用後は、保持具６０がハンガー部材３０に装着されることで、元通りに保管される。
【００５５】
［位置ずれ規制手段］
第１実施形態に係るチューブ保管用器具１は、ハンガー部３６の長さ方向における保持具２０，６０の位置ずれを規制する位置ずれ規制手段を更に備えてもよい。
【００５６】
位置ずれ規制手段の具体例が図６〜図８に示されている。なお、図６〜図８には、ハンガー部３６の一部とその周辺部が拡大して示されている。また、図６〜図８には、上記の保持具２０（図２（ｂ）参照）が用いられる例が示されているが、その他の保持具が用いられる場合にも同様の位置ずれ規制手段を適用可能である。
【００５７】
図６に示す例では、位置ずれ規制手段として、保持具２０の所定部が嵌合可能な嵌合部７０が、ハンガー部材３０のハンガー部３６に設けられている。嵌合部７０は、例えば、ハンガー部３６の上面部を幅方向（紙面に直交する方向）に横切る溝部で構成されている。嵌合部７０は、ハンガー部３６の長さ方向に所定間隔を空けて複数設けられている。各嵌合部７０には、保持具２０のリング部材２４が嵌合可能となっている。嵌合部７０にリング部材２４が嵌まり込むことで、保持具２０およびこれに保持されるヘアカラーリング剤１００の位置ずれが規制される。これにより、複数のヘアカラーリング剤１００を所定間隔に並べた状態で保管することが可能になる。
【００５８】
なお、位置ずれ規制手段としての嵌合部の構成は、図６に示すような溝部に限られず、例えば、ハンガー部３６を部分的に下方へ凹ませるように屈曲または湾曲させることで形成された凹部であってもよい。また、位置ずれ規制手段としての嵌合部を凸状に構成し、該凸状の嵌合部を、保持具が備える凹部に嵌合させるようにしてもよい。
【００５９】
図７に示す例では、位置ずれ規制手段として、複数の位置決め部材８０が用いられる。位置決め部材８０は、ハンガー部材３０のハンガー部３６の外側に嵌合される嵌合部材である。位置決め部材８０としては、例えば、筒状または断面Ｃ形の部材が用いられるが、位置決め部材８０の形状は特に限定されるものでない。位置決め部材８０は、例えば樹脂からなる。ただし、位置決め部材８０の素材は特に限定されるものでない。
【００６０】
位置決め部材８０と保持具２０は、ハンガー部３６の長さ方向において交互に並ぶようにハンガー部材３０に装着される。これにより、各保持具２０のリング部材２４は、隣接する一対の位置決め部材８０によって、ハンガー部３６の長さ方向の両側から挟み込まれる。これにより、ハンガー部３６の長さ方向において、各保持具２０の位置ずれが制限されるとともに、隣接する保持具２０間に、位置決め部材８０の長さ以上の間隔を確保できる。これにより、複数のヘアカラーリング剤１００を所定以上の間隔で並べて保管することができる。
【００６１】
図８に示す例でも、位置ずれ規制手段として、複数の位置決め部材９０が用いられる。図８に示す位置決め部材９０は、保持具２０を吊り下げ支持する支持部９４を備えている点で、図７に示す位置決め部材８０と異なっている。支持部９４は、例えば、位置決め部材９０の下端部に設けられている。支持部９４は、例えばプレート状に形成されている。支持部９４は、例えば、支持部９４を貫通する係合穴９６を備えている。係合穴９６には保持具２０のリング部材２４が通される。これにより、保持具２０は、支持部９４に対して所定位置に保持されるように吊り下げ支持される。
【００６２】
複数の位置決め部材９０は、それぞれ保持具２０に対応して設けられている。複数の位置決め部材９０は、互いに当接または近接するようにハンガー部３６に装着される。これにより、複数の位置決め部材９０は、互いに干渉することで、ハンガー部３６の長さ方向への移動が規制されている。そのため、保持具２０を介して位置決め部材９０に支持されたヘアカラーリング剤１００も、ハンガー部材３０の長さ方向への位置ずれが制限される。これにより、複数のヘアカラーリング剤１００を所定以上の間隔で並べて保管することができる。
【００６３】
なお、支持部９４による保持具２０の支持構造は、係合穴９６にリング部材２４を係合させるものに限られず、支持部９４に対して保持具を所定位置に保持可能な構造であれば、適宜変更可能である。
【００６４】
また、図８に示す例では、複数の位置決め部材９０のそれぞれに保持具２０が吊り下げ支持されているが、位置決め部材９０は、必ずしも保持具２０毎に設けられなくてもよい。例えば、ハンガー部３６に装着される１つの位置決め部材に、複数の保持具２０を吊り下げ支持する支持部が設けられてもよい。この場合、位置決め部材の支持部は、複数の保持具２０がそれぞれ所定位置に保持されるような支持構造を備えることで、同様の効果を得ることができる。
【００６５】
［第２実施形態］
図９及び図１０を参照しながら、第２実施形態に係るチューブ保管用器具２０１について説明する。図９は、チューブ保管用器具２０１を示す正面図であり、図１０は、図９の左側から見たチューブ保管用器具２０１の側面図である。なお、第２実施形態において、第１実施形態と共通する構成については、説明を省略するとともに、図９及び図１０において同じ符号を付している。
【００６６】
第２実施形態に係るチューブ保管用器具２０１は、第１実施形態と同様の固定部材１０、保持具２０、及びハンガー部材３０に加えて、位置ずれ規制手段としての位置決め部材２１０を備えている。
【００６７】
位置決め部材２１０は、ハンガー部材３０に装着される。位置決め部材２１０は、例えば、ＡＢＳ樹脂等の樹脂からなる。ただし、位置決め部材２１０の素材は、特に限定されるものでない。
【００６８】
位置決め部材２１０は、ハンガー部材３０のスライダ部３２の外側に嵌合する筒状嵌合部２２０と、連絡部２３０を介して筒状嵌合部２２０に支持された複数の位置決め片２４０とを備えている。
【００６９】
筒状嵌合部２２０は、スライダ部３２と略同じ長さを有し、スライダ部３２を全長に亘って被覆する。筒状嵌合部２２０は、スライダ部３２と共に、固定部材１０の筒状支持部２０４の貫通穴２０５に通される。そのため、筒状支持部２０４及び貫通穴２０５は、第１実施形態よりも大径に形成されている。筒状嵌合部２２０は、スライダ部３２と共にスライド可能に固定部材１０に支持される。詳細には、本実施形態において固定部材１０はプレート部１２及び筒状支持部２０４の中心を通る平面で分割された左右一対のパーツからなる。この左右一対のパーツで筒状嵌合部２２０を挟んでパーツ同士を貼り合わせることにより、筒状嵌合部２２０を筒状支持部２０４の貫通穴２０５内に配置することができる。
【００７０】
連絡部２３０は、例えば、筒状嵌合部２２０の下方において筒状嵌合部２２０に沿って延びる長尺部２３１と、筒状嵌合部２２０及び長尺部２３１の一方側（図９の左側）の端部間を繋ぐ第１連結部２３２と、筒状嵌合部２２０及び長尺部２３１の他方側（図９の右側）の端部間を繋ぐ第２連結部２３３とを備えている。
【００７１】
長尺部２３１は、筒状嵌合部２２０に対して平行に延びるように設けられ、筒状嵌合部２２０と略同じ長さを有する。ただし、長尺部２３１は、筒状嵌合部２２０に対して傾斜して設けられてもよい。
【００７２】
第１連結部２３２には、ハンガー部材３０の屈曲片３８に係合可能な係合凹部２３５が設けられている。係合凹部２３５は、第１連結部２３２の長さ方向に延び且つ第２連結部２３３とは反対側（図９の左側）に開放する溝部で構成されている。より具体的に、係合凹部２３５は、例えば、第１連結部２３２の下端から上方に延びるスリットで構成されている。
【００７３】
複数の位置決め片２４０は、長尺部２３１の長さ方向に一定間隔を空けて配置され、それぞれ長尺部２３１から下方に延びるように設けられている。複数の位置決め片２４０は、互いに等しい長さを有する。
【００７４】
位置決め部材２１０は、スライダ部３２に対する筒状嵌合部２２０の嵌合と、屈曲片３８に対する係合凹部２３５の係合とによって、ハンガー部材３０に対する相対変位が規制されている。また、スライダ部３２に嵌合された状態の筒状嵌合部２２０は、固定部材１０の筒状支持部２０４にスライド可能に通される。これにより、固定部材１０に対してハンガー部材３０がスライド移動されるとき、位置決め部材２１０も、ハンガー部材３０と一体的にスライド移動する。
【００７５】
ハンガー部材３０と位置決め部材２１０が図９の右側に向かってスライド移動されるときは、固定部材１０に対して位置決め部材２１０の第１連結部２３２が干渉することで、それ以上のスライド移動が規制される。そのため、第１実施形態のようなストッパ４０を設けなくても、固定部材１０からのハンガー部材３０の脱落を防止できる。
【００７６】
また、ハンガー部材３０に位置決め部材２１０が取り付けられた状態において、複数の位置決め片２４０は、ハンガー部３６の長さ方向に間隔を空けて配置された状態でハンガー部３６の外周面に当接または近接する。各保持具２０は、隣接する一対の位置決め片２４０の間においてハンガー部３６に掛けられることで、ハンガー部３６の長さ方向における移動範囲が当該一対の位置決め片２４０間に制限される。これにより、それぞれ保持具２０を介してハンガー部３６に吊り下げ支持される複数のヘアカラーリング剤１００を、ハンガー部３６の長さ方向に間隔を空けて並べた状態で保管することができる。
【００７７】
なお、第２実施形態において、連絡部２３０の構成には種々の変更が可能である。
【００７８】
以上、上述の実施形態を挙げて本考案を説明したが、本考案は上述の実施形態に限定されるものではない。
【００７９】
上述の実施形態では、チューブ保管用器具をヘアカラーリング剤の保管に用いる例を説明したが、本考案に係るチューブ保管用器具は、ヘアカラーリング剤（カラーリング１剤）以外のチューブ型製品の保管に用いられてもよい。
【００８０】
上述の各実施形態によれば、単純な構造で、組み立てが容易であり、製造コストを抑えたチューブ保管用器具を実現することができる。特に、各実施形態のチューブ保管用器具１，２０１は、長尺のハンガー部材３０を短尺の固定部材１０で支持する構成としたことにより、天井面１５１への取り付けスペース（固定部材１０の設置面積）を小さくすることができる。そして設置面積の小さな固定部材１０を図３に示すように天井面１５１の手前側に取り付ければよいため、天井面１５１の奥の方へビス止めする必要がなく、取り付け作業も容易である。
【符号の説明】
【００８１】
１        チューブ保管用器具
１０      固定部材
１２      プレート部
１４      筒状支持部
２０      保持具
２２      クリップ（クリップ部）
２４      リング部材（連結部）
３０      ハンガー部材
３２      スライダ部
３４      折り返し部
３６      ハンガー部
３８      屈曲片
４０      ストッパ
６０      保持具
６２      クリップ部
６４      連結部
６８      開放部
７０      嵌合部（位置ずれ規制手段）
８０      位置決め部材（位置ずれ規制手段）
９０      位置決め部材（位置ずれ規制手段）
９４      支持部
１００    ヘアカラーリング剤（チューブ型製品）
１５０    棚（保管場所）
１５１    天井面
２０１    チューブ保管用器具
２０４    筒状支持部
２１０    位置決め部材（位置ずれ規制手段）
２２０    筒状嵌合部
２３０    連結部
２３５    係合凹部
２４０    位置決め片
【図１】
0003233455.tif 000003
【図２】
0003233455.tif 000004
【図３】
0003233455.tif 000005
【図４】
0003233455.tif 000006
【図５】
0003233455.tif 000007
【図６】
0003233455.tif 000008
【図７】
0003233455.tif 000009
【図８】
0003233455.tif 000010
【図９】
0003233455.tif 000011
【図１０】
0003233455.tif 000012